(57)【要約】【課題】適切な耕耘整地作業ができる農作業機を提供する。【解決手段】農作業機１は、機体21のブラケット部とチェーンケース部28とで支持した耕耘体22を備える。この耕耘体22の上方部を耕耘カバー体24で覆う。この耕耘カバー体24には、耕耘体22の後方で整地作業をする整地体を設ける。機体21のチェーンケース部28には、このチェーンケース部28を覆って保護するとともに土を耕耘体22側に向けて案内するガード体61を設ける。ガード体61は、前下がり傾斜状の傾斜上板部66を有する。【選択図】図１
2016002061.tif 000002
【特許請求の範囲】
【請求項１】
耕耘体支持部を有する機体と、
前記耕耘体支持部にて支持され、耕耘作業をする耕耘体と、
この耕耘体の後方で整地作業をする整地体と、
前記耕耘体の上方部を覆う耕耘カバー体と、
前記耕耘体支持部を覆って保護するとともに、土を耕耘体側に向けて案内するガード体とを備え、
前記ガード体は、前下がり傾斜状の傾斜上板部を有する
ことを特徴とする農作業機。
【請求項２】
耕耘カバー体は、前下がり傾斜状の傾斜板部を有し、
ガード体の傾斜上板部と前記耕耘カバー体の前記傾斜板部とが同一面上に位置する
ことを特徴とする請求項１記載の農作業機。
【請求項３】
側面視で、ガード体の傾斜上板部と耕耘カバー体の傾斜板部とが重なり合う
ことを特徴とする請求項２記載の農作業機。
【請求項４】
耕耘体支持部は、機体の外端部に位置するチェーンケース部である
ことを特徴とする請求項１ないし３のいずれか一記載の農作業機。
【発明の詳細な説明】
【技術分野】
【０００１】
本発明は、適切な耕耘整地作業ができる農作業機に関するものである。
【背景技術】
【０００２】
従来、例えば下記の特許文献１に記載された農作業機が知られている。
【０００３】
この従来の農作業機は、トラクタ等の走行車の後部に連結される機体と、この機体に回転可能に設けられ耕耘作業をする耕耘体と、この耕耘体の後方で整地作業をする整地体と、耕耘体の上方部を覆う耕耘カバー体と、機体の耕耘体支持部であるチェンケース部を覆って保護するガード体とを備えている。
【先行技術文献】
【特許文献】
【０００４】
【特許文献１】特開平１１−９００４号公報
【発明の概要】
【発明が解決しようとする課題】
【０００５】
しかしながら、上記従来の農作業機では、機体のチェンケース部による残耕が生じるため、適切な耕耘整地作業ができないおそれがある。
【０００６】
本発明は、このような点に鑑みなされたもので、適切な耕耘整地作業ができる農作業機を提供することを目的とする。
【課題を解決するための手段】
【０００７】
請求項１記載の農作業機は、耕耘体支持部を有する機体と、前記耕耘体支持部にて支持され、耕耘作業をする耕耘体と、この耕耘体の後方で整地作業をする整地体と、前記耕耘体の上方部を覆う耕耘カバー体と、前記耕耘体支持部を覆って保護するとともに、土を耕耘体側に向けて案内するガード体とを備え、前記ガード体は、前下がり傾斜状の傾斜上板部を有するものである。
【０００８】
請求項２記載の農作業機は、請求項１記載の農作業機において、耕耘カバー体は、前下がり傾斜状の傾斜板部を有し、ガード体の傾斜上板部と前記耕耘カバー体の前記傾斜板部とが同一面上に位置するものである。
【０００９】
請求項３記載の農作業機は、請求項２記載の農作業機において、側面視で、ガード体の傾斜上板部と耕耘カバー体の傾斜板部とが重なり合うものである。
【００１０】
請求項４記載の農作業機は、請求項１ないし３のいずれか一記載の農作業機において、耕耘体支持部は、機体の外端部に位置するチェーンケース部であるものである。
【発明の効果】
【００１１】
本発明によれば、ガード体が機体の耕耘体支持部を覆って保護するとともに土を耕耘体側に向けて案内するため、適切な耕耘作業ができ、しかも、ガード体は前下がり傾斜状の傾斜上板部を有するため、稲わら等の夾雑物や土がガード体上に溜まるのを抑制できる。
【図面の簡単な説明】
【００１２】
【図１】本発明の一実施の形態に係る農作業機の部分斜視図である。
【図２】同上農作業機の部分側面図である。
【図３】同上農作業機のカバー体の側面視断面図である。
【図４】同上農作業機の全体背面図である。
【図５】同上農作業機のガード体の正面図である。
【図６】同上農作業機のガード体の底面図である。
【図７】同上農作業機のガード体の外側面図である。
【図８】同上農作業機のガード体の内側面図である。
【発明を実施するための形態】
【００１３】
本発明の一実施の形態について図１ないし図８を参照して説明する。
【００１４】
図中の１は農作業機で、この農作業機１は、例えば走行車であるトラクタ（図示せず）の後部に連結され、そのトラクタの走行により圃場上を前方（進行方向）に移動しながら農作業である耕耘整地作業等を行うものである。
【００１５】
農作業機１は、図４に示されるように、例えば３分割の折畳式農作業機で、トラクタの後部に脱着可能に連結される中央作業部２と、この中央作業部２の左右方向両端部に回動支点３を中心として上下方向に回動可能に設けられた左右１対の延長作業部４と、この延長作業部４を中央作業部２に対して回動させる回動駆動手段である油圧シリンダ５とを備えている。
【００１６】
両延長作業部４は、左右対称の構成のもので、油圧シリンダ５の伸縮に応じて中央作業部２に対して回動支点３を中心として回動する。つまり、両延長作業部４は、油圧シリンダ５の伸び動作に基づく展開方向への回動により、中央作業部２の外側方に位置する展開作業状態となる。また、両延長作業部４は、油圧シリンダ５の縮み動作に基づく折畳方向への回動により、中央作業部２の上方に位置する折畳非作業状態となる。
【００１７】
そして、農作業機１は、中央作業部２および左右１対の両延長作業部４が耕耘整地作業をする状態と、中央作業部２および左右いずれか一方の延長作業部４が耕耘整地作業をする状態と、中央作業部２のみが耕耘整地作業をする状態とに選択的に切り換え可能となっている。
【００１８】
中央作業部２は、トラクタの後部の３点リンク部（農作業機昇降部）に脱着可能に連結されるトラクタ連結機体である中央機体11と、この中央機体11にて回転可能に支持され、所定の回転方向に回転しながら耕耘作業をする中央耕耘体（図示せず）と、この中央耕耘体の後方で整地作業をする中央整地体12とを備えている。
【００１９】
また、中央作業部２は、中央機体11に固定的に設けられ中央耕耘体の上方部を覆う中央耕耘カバー体13を備え、この中央耕耘カバー体13の後端部に中央整地体12が上下方向に回動可能に設けられている。
【００２０】
中央機体11は、左右方向中央部にミッションケース部15を有し、このミッションケース部15にて前後方向の入力軸（図示せず）が回転可能に支持されている。入力軸は、トラクタのＰＴＯ軸にジョイント等からなる伝動手段を介して接続される。
【００２１】
中央耕耘体（図示せず）は、中央機体11にて回転可能に支持された左右方向長手状の耕耘軸を有し、この耕耘軸の複数の爪ホルダ部33には耕耘爪34が取り付けられている。
【００２２】
中央整地体12は、中央耕耘カバー体13の後端部にゴムカバー16を介して取り付けられた第１整地板（均平板）17を有し、この第１整地板17の下端部に第２整地板（レーキ）18が取り付けられている。なお、ゴムカバー16を用いることなく、第１整地板17の上端部を中央耕耘カバー体13の後端部に回動可能に取り付けてもよい。
【００２３】
延長作業部４は、図１ないし図３にも示されるように、中央作業部２の中央機体11の外端部（左右方向端部）に回動支点３を中心として上下方向に回動可能に取り付けられた機体（延長機体）21と、この機体21にて回転可能に支持され、所定の回転方向に回転しながら耕耘作業をする耕耘体（延長耕耘体）22と、この耕耘体22の後方で整地作業をする整地体（延長整地体）23とを備えている。
【００２４】
また、延長作業部４は、機体21に固定的に設けられ耕耘体22の上方部を覆う耕耘カバー体（延長耕耘カバー体）24を備え、この耕耘カバー体24の後端部に整地体23が上下方向に回動可能に設けられている。
【００２５】
機体21は、左右方向長手状のフレーム部でフレームパイプ部26を有し、このフレームパイプ部26の長手方向一端部である内端部には、板状の耕耘体支持部であるブラケット部27の上部が取り付けられている。フレームパイプ部26の長手方向他端部である外端部には、箱状の耕耘体支持部であるチェーンケース部28の上部が取り付けられている。チェーンケース部28は、機体21の外端部、つまり農作業機１の外端部（外側端部）に位置している。
【００２６】
チェーンケース部28は、図１から明らかなように、チェーンケース側板29と、このチェーンケース側板29に取り付けられたチェーンケース本体30と、このチェーンケース本体30に取り付けられこのチェーンケース本体30の上下方向中間部を覆って保護するガード板20を有している。チェーンケース側板29には、チェーンケース本体30よりも前方に突出して位置する前方突出板部29aが形成されている。
【００２７】
耕耘体22は、互いに離間対向する両耕耘体支持部、つまり内端側のブラケット部27および外端側のチェーンケース部28にて回転可能に支持された左右方向長手状の耕耘軸31を有している。すなわち、耕耘軸31の内端部がブラケット部27の下部にベアリングを介して回転可能に取り付けられ、耕耘軸31の外端部がチェーンケース部28の下部にベアリングを介して回転可能に取り付けられている。また、耕耘軸31は、軸本体部32の外周面から突出する複数の爪ホルダ部33を有し、この各爪ホルダ部33には耕耘爪34が取り付けられている。
【００２８】
なお、耕耘体22は、機体21のチェーンケース部28内に収納配設されたチェーン等からなる動力伝達手段（図示せず）から動力を受けて所定の回転方向に回転する。
【００２９】
整地体23は、耕耘カバー体24の後端部にゴムカバー36を介して取り付けられた第１整地板（均平板）37を有し、この第１整地板37の下端部に第２整地板（レーキ）38が取り付けられている。第２整地板38の外端部には、延長整地板（延長レーキ）39が折畳・展開可能に設けられている。なお、ゴムカバー36を用いることなく、第１整地板37の上端部を耕耘カバー体24の後端部に回動可能に取り付けてもよい。
【００３０】
耕耘カバー体24は、耕耘体22の上方に位置してこの耕耘体22の上方部を覆う左右方向長手状で板状のカバー本体41を有している。カバー本体41の長手方向一端部である内端部（内側端部）にはカバー内側板42が固着され、このカバー内側板42が機体21のブラケット部27に取り付けられている。カバー本体41の長手方向他端部である外端部（外側端部）にはカバー外側板43が固着され、このカバー外側板43が機体21のチェーンケース部28のチェーンケース側板29に取り付けられている。
【００３１】
また、カバー本体41の後端部には後補強板44が固着され、カバー本体41の前端部には前補強板45が固着され、この前補強板45にはゴム板46が取付具47にて取り付けられている。
【００３２】
さらに、カバー本体41は、図３から明らかなように、例えば耕耘体22の耕耘軸31の真上に位置する上方に向かって凸の湾曲状の湾曲板部51と、この湾曲板部51の前端部に一体に連設された前低後高の前下がり傾斜状の傾斜板部である前側傾斜板部52と、この前側傾斜板部52の前端部から下方に向かって一体に突出する鉛直状の下方突出板部53と、この下方突出板部53の下端部から前方に向かって一体に突出する水平状の前方突出板部54と、湾曲板部51の後端部に一体に連設された前高後低の後下がり傾斜状の傾斜板部である後側傾斜板部55とにて構成されている。
【００３３】
前補強板45は、下方突出板部53の前面および前方突出板部54の上面に固着されている。後補強板44は、後側傾斜板部55の上面に固着されている。
【００３４】
なお、前下がり傾斜状の前側傾斜板部52の水平方向に対する傾斜角度αは、例えば１０〜５０度、好ましくは３３度である。図１では、斜線を施した部分が前側傾斜板部52である。
【００３５】
また、左右の各延長作業部４の機体21の外端側のチェーンケース部28には、このチェーンケース部28の下部を覆って保護するとともに、圃場の土（泥土）を耕耘体22側に向けて内側方へ案内するガード体（チェーンケースガード）61が取付具（例えばボルトおよびナット等）60にて脱着可能に取り付けられている。
【００３６】
つまり、農作業機１の左右の両外端部（左右の外側端部）に位置する各チェーンケース部28の下部には、チェーンケース部28の下部における前面および外側面を覆って保護するとともに、チェーンケース部28による残耕発生を防止するガード体61が設けられている。
【００３７】
ガード体61は、図５ないし図８にも示されるように、互いに離間対向する内側板部63および外側板部64を有している。内側板部63は、外側板部64よりも小さく、外側板部64の前側上部のみと離間対向している。そして、この内側板部63は、チェーンケース側板29の前方突出板部29aの外面にこの外面と重なるように取り付けられる（図１参照）。また、外側板部64には、ガード板20が当接する切欠部65が形成されている。
【００３８】
そして、内側板部63の上端部と外側板部64の上端部とが、後端から前端に向かって徐々に下方に位置するように水平方向に対して傾斜した前低後高の前下がり傾斜状の傾斜上板部66にて連結されている。つまり、この傾斜上板部66は、耕耘整地作業時に進行方向前側が下がりかつ進行方向後側が上がった前低後高の前下がり傾斜状となってチェーンケース部28の前方に位置する。
【００３９】
傾斜上板部66は、平面視で、前後方向に長手方向有する略矩形状をなす形状に形成されており、その幅方向一端部である内端部が内側板部63の上端部、すなわち例えば上端よりも若干低い上端近傍部分に固着され、その幅方向他端部である外端部が外側板部64の上端部、上端よりも若干低い上端近傍部分に固着されている。傾斜上板部66の後端部は、自由端部67となっており、この自由端部67はチェーンケース部28の前面28aに近接（当接を含む）して位置している（図１参照）。
【００４０】
また、ガード体61は、傾斜上板部66の前端部から下方に向かって一体に突出する鉛直状の鉛直前板部68と、この鉛直前板部68の下端部から斜め下後方に向かって一体に突出する前高後低の急な後下がり傾斜状の傾斜前板部69と、この傾斜前板部69の下端部から後方に向かって一体に突出する水平状の後方突出板部70とを有している。
【００４１】
さらに、ガード体61は、前方に位置する圃場の土を耕耘体22側に向けて内側方へ案内する案内前板部（切り込み板）71を有している。案内前板部71は、前端（外端）から後端（内端）に向かって徐々に内側方に位置するように前後方向に対して傾斜状に位置している。つまり、案内前板部71は、外側板部64の前端部の近傍位置から斜め内側後方に向かって突出した状態で位置している。この案内前板部71は、正面視で傾斜前板部69の下方に位置し、この案内前板部71の後端部である内端部が内側板部63よりも内側方に突出して位置している。
【００４２】
また、案内前板部71の下端部には水平状の下板部72が一体に設けられ、この下板部72の外端部が外側板部64の下端部に固着されている。外側板部64の前端側は、案内前板部71側に向かって折り曲げられて逃げ面73が形成されている。下板部72には、切欠状のドレンボルト用孔74が形成されている。
【００４３】
ここで、図１および図２から明らかなように、ガード体61の平板状の傾斜上板部66と耕耘カバー体24の平板状の前側傾斜板部52とが同一面（略同一面を含む）上に位置しており、側面視でそれら傾斜上板部66と前側傾斜板部52とが同一高さ（略同一高さを含む）で互いに重なり合っている。
【００４４】
なおこの例では、ガード体61の傾斜上板部66が、耕耘カバー体24の前側傾斜板部52よりも若干上方に位置するが、例えば傾斜上板部66と前側傾斜板部52とが側面視で完全に一致してもよく、また、傾斜上板部66が前側傾斜板部52よりも若干下方に位置するようにしてもよい。
【００４５】
ガード体61の傾斜上板部66の水平方向に対する傾斜角度βは、例えば１０〜５０度、好ましくは３３度であり、耕耘カバー体24の前側傾斜板部52の傾斜角度αと同じ角度（略同じ角度を含む）に設定されている。
【００４６】
また、ガード体61の傾斜上板部66の前後方向長さ寸法は、耕耘カバー体24の前側傾斜板部52の前後方向長さ寸法よりも短く、傾斜上板部66の前端側は、前側傾斜板部52の前端部よりも前方に突出して位置している。ガード体61の傾斜上板部66の左右方向長さ寸法である幅寸法は、チェーンケース部28の幅寸法と同一寸法（略同一寸法を含む）である。なお、傾斜上板部66の上面および前側傾斜板部52の上面は、いずれも平面状に形成されている。
【００４７】
次に、農作業機１の作用等を説明する。
【００４８】
農作業機１をトラクタの後部に連結して、そのトラクタの走行により農作業機１を圃場上で前方に移動させつつ耕耘整地作業を行う。
【００４９】
この作業時において、農作業機１の左右の両外端部の位置では、圃場の土（泥土）が延長作業部４のガード体61の案内前板部71に当たって耕耘体22側へ誘導案内される。
【００５０】
そして、その案内された土は、耕耘体22の耕耘爪34にて耕耘されるため、チェーンケース部28による残耕が生じない。その結果、適切な耕耘整地作業ができ、畦際まできれいに仕上げることが可能である。
【００５１】
また、ガード体61の上面部は、前下がり傾斜状の傾斜上板部66にて構成されているため、例えば水平状の水平上板部にて構成した場合に比べて、稲わら等の夾雑物や圃場の土がガード体61上に溜まりにくい。すなわち例えば、作業時に夾雑物や土が傾斜上板部66上に乗っても自重で流れ落ちるため、傾斜上板部66上に夾雑物や土が固まりとなって溜まるようなことがない。
【００５２】
その結果、例えば圃場間の移動時に、夾雑物や土を道路の上に落とすことが少なくなり、道路掃除等の余計な作業が不要で、作業効率の向上を図ることが可能である。
【００５３】
そして、農作業機１によれば、ガード体61が各延長作業部４の機体21のチェーンケース部28を覆って保護するとともに土を耕耘体22側に向けて案内するため、チェーンケース部28を保護できるばかりでなく、適切な耕耘作業ができ、しかも、ガード体61は前下がり傾斜状の傾斜上板部66を有するため、稲わら等の夾雑物や土がガード体61上に溜まるのを抑制できる。
【００５４】
また、耕耘カバー体24は前下がり傾斜状の前側傾斜板部52を有し、ガード体61の傾斜上板部66と耕耘カバー体24の前側傾斜板部52とが同一面上に位置し、かつ、側面視でガード体61の傾斜上板部66と耕耘カバー体24の前側傾斜板部52とが重なり合うため、稲わら等の夾雑物や土がガード体61上に溜まるのを効果的に抑制できる。
【００５５】
なお、農作業機１は、３分割の折畳式のものには限定されず、例えば中央作業部２のみからなる１本ものでもよく、この場合、例えば機体の左端部に位置する耕耘体支持部（チェーンケース部）にガード体61を設ける。
【００５６】
また、ガード体61にて保護される耕耘体支持部は、チェーンケース部以外でもよく、例えばブラケット部でもよい。
【００５７】
さらに、例えばガード板20を有しない構成でもよく、また、例えばガード板20をガード体61に一体的に設けた構成等でもよい。
【００５８】
また、ガード体61の傾斜上板部66や耕耘カバー体24の前側傾斜板部52は、例えば上方に向かって凸状または凹状に湾曲した前下がり傾斜状のものや、複数個所で屈曲した前下がり傾斜状のもの等でもよい。
【符号の説明】
【００５９】
１    農作業機
21    機体
22    耕耘体
23    整地体
24    耕耘カバー体
28    耕耘体支持部であるチェーンケース部
52    傾斜板部である前側傾斜板部
61    ガード体
66    傾斜上板部
【図１】
2016002061.tif 000003
【図２】
2016002061.tif 000004
【図３】
2016002061.tif 000005
【図４】
2016002061.tif 000006
【図５】
2016002061.tif 000007
【図６】
2016002061.tif 000008
【図７】
2016002061.tif 000009
【図８】
2016002061.tif 000010